(57)【要約】【課題】簡易な構成で用紙ガイドの移動を規制するとともにその規制を解除する。【解決手段】媒体を載置する媒体載置部と、前記媒体載置部に形成された摺動部に移動可能に設けられ、媒体の位置を規制する媒体突き当て面が形成された規制部材とを有し、前記規制部材は、前記摺動部と接触して移動を規制する第１の規制面および前記摺動部に対して移動を可能にする部位が形成されている。【選択図】        図１
2011195294.tif 000002
【特許請求の範囲】
【請求項１】
媒体を載置する媒体載置部と、
前記媒体載置部に形成された摺動部に移動可能に設けられ、媒体の位置を規制する媒体突き当て面が形成された規制部材とを有し、
前記規制部材は、前記摺動部と接触して移動を規制する第１の規制面および前記摺動部に対して移動を可能にする部位が形成されていることを特徴とする給紙装置。
【請求項２】
請求項１の給紙装置において、
前記第１の規制面は、高摩擦部材で形成されていることを特徴とする給紙装置。
【請求項３】
請求項１の給紙装置において、
前記第１の規制面は、凹凸形状に形成されていることを特徴とする給紙装置。
【請求項４】
請求項１から請求項３のいずれか１項の給紙装置において、
前記摺動部に対して移動を可能にする部位は摺動面であって、
前記摺動面は、前記媒体突き当て面に対して鈍角をなす傾斜面として形成されていることを特徴とする給紙装置。
【請求項５】
請求項１から請求項４のいずれか１項の給紙装置において、
前記規制部材は、前記第１の規制面を前記摺動部に押圧する付勢部材が設けられていることを特徴とする給紙装置。
【請求項６】
請求項５の給紙装置において、
前記第１の規制面は、前記媒体突き当て面と直交する方向に形成され、
前記摺動面は、前記第１の規制面に対して鈍角をなし、前記第１の規制面に連続して形成され、
前記付勢部材は、前記摺動部を挟んで前記第１の規制面と対向して配置され、
前記規制部材は、前記第１の規制面と前記摺動面との境界を支点として回動可能に形成されていることを特徴とする給紙装置。
【請求項７】
請求項１から請求項６のいずれか１項の給紙装置において、
前記規制部材は、前記摺動部を挟んで前記摺動面に対向し、前記摺動部に接触して移動を規制する第２の規制面が形成されていることを特徴とする給紙装置。
【請求項８】
請求項７の給紙装置において、
前記第２の規制面は、高摩擦部材で形成されていることを特徴とする給紙装置。
【請求項９】
請求項７の給紙装置において、
前記第２の規制面は、凹凸形状に形成されていることを特徴とする給紙装置。
【請求項１０】
請求項１から請求項９のいずれか１項の給紙装置を備えることを特徴とする画像形成装置。
【発明の詳細な説明】
【技術分野】
【０００１】
本発明は、用紙ガイドを有する給紙装置およびその給紙装置を備えた画像形成装置に関する。
【背景技術】
【０００２】
従来の給紙装置および画像形成装置は、用紙ガイドの移動の規制をレバーにより解除した後、その用紙ガイドを適正な位置に移動し、再び用紙ガイドの移動を規制して位置を固定することで用紙を適正な位置にセットするようにしている（例えば、特許文献１参照）。
【先行技術文献】
【特許文献】
【０００３】
【特許文献１】特開２００８−８１２５９号公報（段落「００１３」〜段落「００１６」、図１）
【発明の概要】
【発明が解決しようとする課題】
【０００４】
しかしながら、上述した従来の技術においては、用紙ガイドの位置を決定するための用紙ガイドの移動を規制し、その規制を解除する手段の構成が複雑であるという問題がある。
【０００５】
本発明は、このような問題を解決することを課題とし、簡易な構成で用紙ガイドの移動を規制するとともにその規制を解除することを目的とする。
【課題を解決するための手段】
【０００６】
そのため、本発明は、媒体を載置する媒体載置部と、前記媒体載置部に形成された摺動部に移動可能に設けられ、媒体の位置を規制する媒体突き当て面が形成された規制部材とを有し、前記規制部材は、前記摺動部と接触して移動を規制する第１の規制面および前記摺動部に対して移動を可能にする部位が形成されていることを特徴とする。
【発明の効果】
【０００７】
このようにした本発明は、簡易な構成で用紙ガイドの移動を規制するとともにその規制を解除することができるという効果が得られる。
【図面の簡単な説明】
【０００８】
【図１】第１の実施例における用紙トレイおよびサイドガイドの断面図
【図２】第１の実施例における画像形成装置の構成を示す概略断面図
【図３】第１の実施例における用紙トレイの斜視図
【図４】第１の実施例における用紙トレイおよびサイドガイドの構成を示す説明図
【図５】第１の実施例におけるサイドガイドのリンク機構の構成を示す説明図
【図６】第１の実施例におけるサイドガイドの説明図
【図７】第１の実施例におけるサイドガイド移動時の用紙トレイおよびサイドガイドの断面図
【図８】第１の実施例における変形例の説明図
【図９】第２の実施例におけるサイドガイドの説明図
【図１０】第２の実施例における用紙トレイおよびサイドガイドの断面図
【図１１】第２の実施例におけるサイドガイド移動時の用紙トレイおよびサイドガイドの断面図
【発明を実施するための形態】
【０００９】
以下、図面を参照して本発明による給紙装置および画像形成装置の実施例を説明する。
【実施例１】
【００１０】
図２は第１の実施例における画像形成装置の構成を示す概略断面図である。
【００１１】
図２において、１は本発明の給紙装置を備える画像形成装置であり、例えばプリンタ、複写機、ファクシミリ装置等である。
【００１２】
１００は給紙装置としての用紙トレイであり、内部に用紙を積層して収容するものである。この用紙トレイ１００の繰出し側には、用紙を１枚ずつ繰出す用紙繰出し部２００が設けられている。
【００１３】
用紙繰出し部２００には、図示しない昇降機構により所定の高さまで上昇した用紙に圧接するよう設けられたピックアップローラ２０２と、そのピックアップローラ２０２により繰出された用紙を１枚ずつに分離するフィードローラ２０３と、分離片２０４とが設けられている。
【００１４】
３００は用紙繰出し部２００により１枚に捌いて繰出された用紙を画像形成部４００へ搬送するための用紙搬送部であり、３０２及び３０３は用紙繰出し部２００により繰出された用紙を搬送するための搬送ローラ対である。
【００１５】
画像形成部４００は、直列に並べられた４つのトナー像形成部４３０と、それぞれのトナー像形成部４３０により形成された各色のトナー像を用紙上面にクーロン力により転写する転写部４６０とから成る。
【００１６】
トナー像形成部４３０では、図示せぬ帯電ローラにより感光ドラム４３１を帯電させ、図示せぬ光ヘッドにより回転する感光ドラム４３１上に画像データを書き込み、その画像データをトナー剤で現像することにより、トナー像が感光ドラム４３１上に得られる。
【００１７】
５００は転写部４６０で用紙上に転写されたトナー像を用紙に熱と圧力により定着させるための定着部である。５０３及び５０４は定着部５００でトナー像が定着された用紙を搬送して排出するための排出ローラ対である。この排出ローラ対５０３及び５０４により搬送された用紙は排出口５０６を通り排出される。
【００１８】
５０５は前記排出口５０６から排出された用紙を堆積するための積載部である。
【００１９】
図３は第１の実施例における用紙トレイの斜視図である。
【００２０】
図３において、１００は用紙（媒体）を載置して収容する媒体載置部としての用紙トレイであり、収容された用紙を繰出す側には分離片２０４が設けられている。用紙トレイ１００は、図中矢印Ａが示す方向に画像形成装置に着脱可能になっている。
【００２１】
１１０と１２０は用紙トレイ１００に積層されて収容された用紙の側部に当接して図中矢印Ａが示す方向と直交する方向の用紙の位置を規制する媒体突き当て面を有する規制部材としてのサイドガイド（用紙ガイド）であり、用紙トレイ１００の底部の摺動板１０１に形成された溝１０２（摺動部）に沿って移動可能に取り付けられている。
【００２２】
１３０は図中矢印Ａが示す方向の用紙の位置を規制するテールガイド（用紙ガイド）であり用紙トレイ１００の底部の摺動板に形成された溝１０３に沿って移動可能に取り付けられている。
【００２３】
図４は第１の実施例における用紙トレイおよびサイドガイドの構成を示す説明図である。
【００２４】
図４において、用紙トレイ１００は、摺動板１０１に形成された溝１０２に沿って移動するサイドガイド１１０および図示しないサイドガイド１２０と、そのサイドガイド１１０およびサイドガイド１２０と接触する摺動板１０１の摺動面１０１ａと、その摺動面１０１ａの裏側に摺動面１０１ｂとを備えている。
【００２５】
図５は第１の実施例におけるサイドガイドのリンク機構の構成を示す説明図である。
【００２６】
図５に示すように、サイドガイド１１０およびサイドガイド１２０は、ラック１２５とピニオンギア１２６により連結されている。ラック１２５とピニオンギア１２６は用紙トレイ１００に移動可能に取り付けられている。
【００２７】
したがって、サイドガイド１１０およびサイドガイド１２０は、それぞれ図中矢印Ｂおよび矢印Ｃが示す方向に同じ移動量で移動するようになっている。
【００２８】
次に、上述したサイドガイド１１０について図６の第１の実施例におけるサイドガイドの説明図を用いて説明する。なお、図６（ａ）はサイドガイド１１０およびラック１２５を底面から見た斜視図、図６（ｂ）はサイドガイド１１０の図６（ａ）におけるＤＤ断面図である。
【００２９】
図６において、サイドガイド１１０は積載して収容する用紙の側部と当接して用紙の位置を規制する媒体突き当て面として用紙規制面１１０ａを有している。また、サイドガイド１１０には、用紙規制面１１０ａに直交する方向に、図４に示す用紙トレイ１００の摺動面１０１ａと接触するサイドガイド１１０の摺動面１１０ｃが形成され、その摺動面１１０ｃと鈍角を成すように摺動面１１０ｂが形成されている。したがって、摺動面１１０ｂは用紙規制面１１０ａとも鈍角をなすように形成されている。
【００３０】
ここで、摺動面１１０ｃと鈍角を成すように摺動面１１０ｂが形成されているのは、摺動面１１０ｃと摺動面１１０ｂとの境界を支点としてサイドガイド１１０を回動可能にし、摺動面１１０ｂと用紙カセット１００の摺動面１０１ａを接触することができるようにするためであり、またサイドガイド１１０の用紙規制面１１０ａと鈍角をなすように摺動面１１０ｂが形成されているのは、用紙規制面１１０ａが傾斜する角度を鋭角にするためである。
【００３１】
摺動面１１０ｂは、摺動面１０１ａと接触しても滑らかに摺動できるように形成されている部位である。この摺動面１１０ｂが、図４に示す用紙トレイ１００の摺動面１０１ａと接触することによりサイドガイド１１０は移動できるようになっている。なお、摺動面１１０ｂに摺動コロを備え、用紙トレイの摺動面との摺動性を向上させるようにしても良い。
【００３２】
１１１はガイド固定部材であり、摺動面１１０ｂとで摺動面１１０ｃを挟むように配置され、サイドガイド１１０に取り付けられているものである。このガイド固定部材１１１は、図４に示す用紙トレイ１００の摺動面１０１ａと接触する面１１１ａを備え、面１１１ａは高摩擦部材（以下、面１１１ａを「高摩擦面１１１ａ」という。）で形成され、摺動面１１０ｃから連続する第１の規制面として形成されている。
【００３３】
したがって、この高摩擦面１１１ａが用紙トレイ１００の摺動面１０１ａと接触することにより、サイドガイド１１０の摺動を規制し、サイドガイド１１０の位置を固定する。なお、高摩擦面１１１ａは、用紙トレイ１００の摺動面１０１ａと確実に接触させるため、摺動面１１０ｃより僅かに突出するように形成されていることが好ましい。
【００３４】
高摩擦部材とは、例えば硬度５０度のＣＲ（Ｃｈｌｏｒｏｐｒｅｎｅ  Ｒｕｂｂｅｒ）ゴムで形成されたものである。
【００３５】
また、図８に示すように本実施例の変形例として、ガイド固定部材１１１の高摩擦面１１１ａおよび用紙トレイの摺動面１０１ａの表面を凹凸形状に形成し、それぞれの凹部と凸部とが噛み合うようにしてサイドガイド１１０の摺動を規制するようにしても良い。
【００３６】
１１２は付勢部材としての板バネであり、ガイド固定部材１１１に対向してサイドガイド１１０に固定され、先端が図４に示す用紙トレイ１００の摺動面１０１ｂに接触するように配置されている。すなわち、板バネ１１２は、ガイド固定部材１１１との間に用紙カセット１００の摺動板１０１を挟むように配置されている。
【００３７】
この板バネ１１２は、図６中の矢印Ｅが示す方向（図４に示す用紙カセット１００の摺動板１０１を挟む方向）へ付勢され、その付勢力によりサイドガイド１１０の高摩擦面１１１ａは図４に示す用紙トレイの摺動面１０１ａに押圧され、その高摩擦面１１１ａと摺動面１０１ａとの摩擦力により、サイドガイド１１０は図４に示す溝１０２に沿って移動することなく固定される。
【００３８】
一方、板バネ１１２の付勢力に抗して、サイドガイド１１０に対して用紙規制面１１０ａの方向（用紙トレイ１００の内側）へ力を加えると、サイドガイド１１０は摺動面１１０ｃと摺動面１１０ｂとの境界を支点として回動して傾き、ガイド固定部材１１１の高摩擦面１１１ａは用紙トレイの摺動面１０１ａから離間するとともにサイドガイド１１０の摺動面１１０ｂは用紙トレイの摺動面１０１ａに接触する。このように摺動面１１０ｂが用紙トレイ１００の摺動面１０１ａに接触することによりサイドガイド１１０は移動可能になる。
【００３９】
１１３はポスト形状の爪部であり、ラック１２５とサイドガイド１１０はこの爪部１１３により１ｍｍ程度のガタを持つように連結されている。
【００４０】
上述したサイドガイドと用紙トレイの関係を図１の第１の実施例における用紙トレイおよびサイドガイドの断面図を用いて説明する。
【００４１】
図１において、板バネ１１２は、ガイド固定部材１１１が用紙トレイ１００に押し付けられる方向にサイドガイド１１０を付勢しており、サイドガイド１１０に取り付けられたガイド固定部材１１１の高摩擦面１１１ａと用紙トレイ１００の摺動面１０１ａは接触している。
【００４２】
サイドガイド１１０の摺動面１１０ｂは、サイドガイド１１０の用紙規制面１１０ａおよび摺動面１１０ｃの双方に対して、鈍角に傾斜して形成されている。したがって、板バネ１１２により付勢され、ガイド固定部材１１１の高摩擦面１１１ａと用紙トレイ１００の摺動面１０１ａとが接触しているとき、摺動面１１０ｂは用紙トレイ１００の摺動面１０１ａから離間している。
【００４３】
一方、サイドガイド１１０の上部を用紙規制面１１０ａ側（用紙トレイ１００の内側）に押圧することにより、サイドガイド１１０は摺動面１１０ｂと摺動面１１０ｃとの境界を支点として回動して傾き、サイドガイド１１０の高摩擦面１１１ａと用紙トレイ１００の摺動面１０１ａとは離間し、摺動面１１０ｂは用紙トレイ１００の摺動面１０１ａに接触する。このように摺動面１１０ｂが用紙トレイ１００の摺動面１０１ａに接触することによりサイドガイド１１０は移動可能になる。
【００４４】
上述した構成の作用について説明する。
【００４５】
図７は第１の実施例におけるサイドガイド移動時の用紙トレイおよびサイドガイドの断面図である。
【００４６】
図７において、用紙トレイ１００に載置する用紙のサイズにサイドガイド１１０の位置を合わせるため、サイドガイド１１０を指により用紙トレイ１００の内側に動かす操作力Ｆを加えると、ガイド固定部材１１１の高摩擦面１１１ａが用紙トレイ１００の摺動面１０１ａに接触しているため、サイドガイド１１０は、高摩擦面１１１ａと摺動面１０１ａとの摩擦力により用紙トレイ１００の内側の横方向には移動せず、摺動面１１０ｂと摺動面１１０ｃとの境界を支点として傾く。
【００４７】
サイドガイド１１０が傾くとガイド固定部材１１１の高摩擦面１１１ａが用紙トレイ１００の摺動面１０１ａから離れ、用紙トレイ１００の摺動面１０１ａにサイドガイド１１０の摺動面１１０ｂが当接し、サイドガイド１１０は用紙トレイ１００の溝１０２に沿って用紙トレイ１００の内側へ移動する。
【００４８】
サイドガイド１１０が用紙トレイ１００の溝１０２に沿って用紙トレイ１００の内側へ移動すると、図５に示すようにラック１２５とピニオンギア１２６と連動してサイドガイド１２０も図中矢印Ｃが示す用紙トレイ１００の内側へ移動する。
【００４９】
サイドガイド１１０から荷重Ｆを取り除くと、板バネ１１２により、ガイド固定部材１１１が用紙トレイ１００に付勢され、高摩擦面１１１ａが摺動面１０１ａに接触することでサイドガイド１１０が用紙トレイ１００に対して固定される。
【００５０】
従来は、サイドガイドを所定の位置に移動するためにはレバーなどにより固定を解除する必要があったが、本実施例では、用紙カセットと接触するサイドガイドに高摩擦面とその高摩擦面と鈍角をなすように形成された摺動面とを形成したため、サイドガイドを傾斜させることにより、高摩擦面を用紙カセットから離間させるとともに用紙カセットに摺動面を接触させ、用紙トレイとサイドガイドの固定が解除でき、サイドガイドの位置を容易に移動することができる。また、サイドガイドの傾きを解除すれば、高摩擦面を用紙カセットに接触させ、ガイド固定部材が用紙トレイと接触しサイドガイドの位置が固定される。
【００５１】
以上説明したように、第１の実施例では、用紙カセットと接触するサイドガイドに高摩擦面とその高摩擦面と鈍角をなすように形成された摺動面とを形成したため、サイドガイドを傾斜させることにより、用紙トレイとサイドガイドの固定が解除でき、サイドガイドの位置を容易に移動することができ、またサイドガイドの傾斜を解除することにより、サイドガイドの位置を固定することができるようになり、簡易な構成でサイドガイドの移動を規制するとともにその規制を解除することができるという効果が得られる。
【実施例２】
【００５２】
第２の実施例の構成は、サイドガイドの構成が第１の実施例の構成と異なるものであり、それ以外の構成は第１の実施例と同様である。なお、上述した第１の実施例と同様の部分は、同一の符号を付してその説明を省略する。
【００５３】
図９は第２の実施例におけるサイドガイドの説明図である。なお、図９（ａ）はサイドガイドの断面図、図９（ｂ）はサイドガイドの斜視図である。
【００５４】
図９において、１５０は用紙トレイ１００に積載され収容された用紙（媒体）の位置を規制する媒体突き当て面を有する規制部材としてのサイドガイドであり、図６に示す第１の実施例のサイドガイド１１０に替わるものである。このサイドガイド１５０は、図４に示す第１の実施例と同様に、用紙トレイ１００の底部に形成された溝１０２（摺動部）に沿って移動可能に取り付けられている。また、サイドガイド１５０とサイドガイド１２０は、図５に示す第１の実施例と同様に、ラック１２５とピニオンギア１２６により連結されている。ラック１２５とピニオンギア１２６は用紙トレイ１００に移動可能に取り付けられている。
【００５５】
サイドガイド１５０は、積載して収容する用紙の側部と当接して用紙の位置を規制する媒体突き当て面として用紙規制面１５０ａを有している。また、サイドガイド１５０には、用紙規制面１５０ａに直交する方向に、図４に示す用紙トレイ１００の摺動面１０１ａと接触するサイドガイド１５０の摺動面１５０ｃが形成され、その摺動面１５０ｃと鈍角を成すように摺動面１５０ｂが形成されている。したがって、摺動面１５０ｂは、用紙規制面１５０ａとも鈍角を成すように形成されている。
【００５６】
ここで、摺動面１５０ｃと鈍角を成すように摺動面１５０ｂが形成されているのは、摺動面１５０ｃと摺動面１５０ｂとの境界を支点としてサイドガイド１５０を回動可能にし、摺動面１５０ｂと用紙カセット１００の摺動面１０１ａを接触することができるようにするためであり、またサイドガイド１５０の用紙規制面１５０ａと鈍角をなすように摺動面１５０ｂが形成されているのは、用紙規制面１５０ａが傾斜する角度を鋭角にするためである。
【００５７】
摺動面１５０ｂは、摺動面１０１ａと接触しても滑らかに摺動できるように形成されている。この摺動面１５０ｂが、図４に示す用紙トレイ１００の摺動面１０１ａと接触することによりサイドガイド１５０は移動できるようになっている。なお、摺動面１５０ｂに摺動コロを備え、用紙トレイの摺動面との摺動性を向上させるようにしても良い。
【００５８】
１５５はガイド固定部材であり、摺動面１５０ｂに対向してサイドガイド１５０に取り付けられているものである。このガイド固定部材１５５は、図４に示す用紙トレイ１００の摺動面１０１ｂと接触する面１５５ａを備え、面１５５ａは高摩擦部材（以下、面１５５ａを「高摩擦面１５５ａ」という。）で形成されている。
【００５９】
したがって、この高摩擦面１５５ａが用紙トレイ１００の摺動面１０１ｂと接触することにより、サイドガイド１５０の摺動を規制し、サイドガイド１５０の位置を固定し、一方、サイドガイド１５０を摺動面１５０ｃと摺動面１５０ｂとの境界を支点として回動させたとき、高摩擦面１５５ａが用紙トレイ１００の摺動面１０１ｂから離間し、サイドガイド１５０の摺動の規制を解除する。
【００６０】
高摩擦部材とは、例えば硬度５０度のＣＲゴムで形成されたものである。
【００６１】
また、本実施例の変形例として第１の実施例の変形例と同様にガイド固定部材１５５の高摩擦面１５５ａおよび用紙トレイの摺動面１０１ｂの表面を凸凹形状に形成し、凹部と凸部とが噛み合うようにしても良い。
【００６２】
板バネ１１２は、図中の矢印Ｅが示す方向（図４に示す用紙カセット１００の摺動板１０１を挟む方向）へ付勢され、その付勢力によりサイドガイド１５０の高摩擦面１１１ａは図４に示す用紙トレイの摺動面１０１ａに押圧され、またガイド固定部材１５５の高摩擦面１５５ａが用紙トレイの摺動面１０１ｂに押圧され、その高摩擦面１１１ａと摺動面１０１ａとの摩擦力および高摩擦面１５５ａと摺動面１０１ｂとの摩擦力により、サイドガイド１５０は図４に示す溝１０２に沿って移動することなく固定される。
【００６３】
さらに、サイドガイド１５０が用紙規制面１５０ａから押圧力を受けた場合、サイドガイド１５０はガイド固定部材１１１の端部を支点として外側に傾き、ガイド固定部材１５５の高摩擦面１５５ａが用紙トレイの摺動面１０１ｂにさらに押圧され、その高摩擦面１１１ａと摺動面１０１ａとの強い摩擦力により、サイドガイド１５０は図４に示す溝１０２に沿って移動することなく固定される。
【００６４】
一方、板バネ１１２の付勢力に抗して、サイドガイド１５０に対して用紙規制面１５０ａの方向（用紙トレイ１００の内側）へ力を加えると、摺動面１５０ｃと摺動面１５０ｂとの境界を支点としてサイドガイド１５０は傾き、ガイド固定部材１１１の高摩擦面１１１ａは用紙トレイの摺動面１０１ａから離間するとともにサイドガイド１５の摺動面１５０ｂは用紙トレイの摺動面１０１ａに接触し、またガイド固定部材１５５の高摩擦面１５５ａは用紙トレイの摺動面１０１ｂから離間する。このように摺動面１５０ｂが用紙トレイ１００の摺動面１０１ａに接触することによりサイドガイド１５０は移動可能になる。
【００６５】
一方、板バネ１１２の付勢力に抗して、サイドガイド１１０に対して用紙規制面１１０ａの方向（用紙トレイ１００の内側）へ力を加えると、サイドガイド１１０は摺動面１１０ｃと摺動面１１０ｂとの境界を支点として回動して傾き、ガイド固定部材１１１の高摩擦面１１１ａは用紙トレイの摺動面１０１ａから離間するとともにサイドガイド１１０の摺動面１１０ｂは用紙トレイの摺動面１０１ａに接触する。
【００６６】
上述した構成の作用について説明する。
【００６７】
図１０は第２の実施例における用紙トレイおよびサイドガイドの断面図、図１１は第２の実施例におけるサイドガイド移動時の用紙トレイおよびサイドガイドの断面図である。
【００６８】
図１０において、用紙をセットする際や用紙を給紙する際に、サイドガイド１５０を外側に押す力Ｆｐを受けることがある。このとき、板バネ１１２の付勢力により、ガイド固定部材１１１の高摩擦面１１１ａが用紙トレイ１００の摺動面１０１ａに当接しているため、サイドガイド１５０はガイド固定部材１１１の高摩擦面１１１ａの端部を支点にして用紙トレイ１００の外側に傾き、それにしたがってガイド固定部材１５５の高摩擦面１５５ａが用紙トレイ１００の摺動面１０１ｂに強く押し付けられる。
【００６９】
ガイド固定部材１１１の高摩擦面１１１ａとガイド固定部材１５５の高摩擦面１５５ａの双方が用紙トレイ１００の摺動面１０１ａ及び摺動面１０１ｂに当接するため、サイドガイド１５０が用紙トレイ１００に対して固定される。
【００７０】
また、サイドガイド１５０を外側に広げる力が働いた際、ガイド固定部材１１１とガイド固定部材１５５とが用紙トレイ１００の摺動板１０１を挟むため、サイドガイド１５０に大きな力が加わってもサイドガイド１５０が外側に広がることを規制できる。そのため、用紙の斜行（スキュー）などによりサイドガイドが広がることがなく、所定の位置に用紙を案内することができる。
【００７１】
図１１に示す様に、用紙トレイ１００に用紙が載置されている場合、サイドガイド１５０を指により内側に移動するように操作力Ｆを加えると、サイドガイド１５０は載置された用紙と用紙規制面１５０ａとの接点１６０ａを支点として回転し、ガイド固定部材１１１の高摩擦面１１１ａが用紙トレイ１００の摺動面１０１ａから離れるとともにガイド固定部材１５５の高摩擦面１５５ａが用紙トレイ１００の摺動面１０１ｂより離れるため、サイドガイド１５０は移動可能になる。
【００７２】
また、用紙トレイ１００に用紙が載置された状態で、サイドガイド１５０を内側へ動かす力が加わっても、サイドガイド１５０が用紙トレイ１００に載置された用紙との接点１６０ａを支点として回転して用紙より逃げるため載置された用紙を傷つけることはない。
【００７３】
なお、サイドガイド１５０を外側へ移動させる際も、サイドガイド１５０を内側へ傾けることで容易に移動させることができる。
【００７４】
また、サイドガイド１２０をサイドガイド１５０と同じ構造にすることで、より上述した効果を増すことができる。
【００７５】
以上説明したように、第２の実施例では、第１の実施例の効果に加え、サイドガイドに用紙トレイの摺動板の両面に当接する二つのガイド固定部材を設けたことにより、サイドガイドを外側に広げる力が働いた際、二つのガイド固定部材が用紙トレイの摺動板を挟むため、サイドガイドに大きな力が加わってもサイドガイドが外側に広がることを規制でき、用紙の斜行（スキュー）などによりサイドガイドが広がることがなく、所定の位置に用紙を案内することができるという効果が得られる。
【００７６】
また、用紙が載置された状態で、サイドガイドを内側へ動かす力が加わっても、サイドガイドが載置された用紙との接点を支点として回転して用紙より逃げるため載置された用紙を傷つけることがないという効果が得られる。
【００７７】
なお、第１、第２の実施例では、本発明を適用した用紙のサイドガイドについて説明したが、テールガイドについても本発明を適用することができる。
【００７８】
また、本発明を給紙カセットに適用した例を説明したが、本発明は手差しトレイなどについても適用可能である。
【符号の説明】
【００７９】
１    画像形成装置
１００  用紙トレイ
１０１  摺動板
１０２、１０３  溝
１１０、１２０、１５０  サイドガイド
１１１、１５５  ガイド固定部材
１１２  板バネ
１１３  爪部
１２５  ラック
１２６  ピニオンギア
２００  用紙繰出し部
３００  用紙搬送部
４００  画像形成部
４３０  トナー像形成部
４６０  転写部
５００  定着部
【図１】
2011195294.tif 000003
【図２】
2011195294.tif 000004
【図３】
2011195294.tif 000005
【図４】
2011195294.tif 000006
【図５】
2011195294.tif 000007
【図６】
2011195294.tif 000008
【図７】
2011195294.tif 000009
【図８】
2011195294.tif 000010
【図９】
2011195294.tif 000011
【図１０】
2011195294.tif 000012
【図１１】
2011195294.tif 000013